(57)【要約】【課題】美しくて高級感があり、裁断や縫製が簡単で、縫い目が肌に当たりにくくて着用感が良好な下着を提供すること。【解決手段】外周縁（脚口３となる下縁）に湾曲部を有する部材（後身頃２）を備え、この部材は、山部と谷部とが繰り返し連続して湾曲したスカラー部４を有する生地Ａを素材とし、外周縁の湾曲部が生地Ａのスカラー部４の湾曲によって形成されている。【選択図】図２
2008013867.tif 000002
【特許請求の範囲】
【請求項１】
外周縁に湾曲部を有する部材を備えた下着において、前記部材は、山部と谷部とが繰り返し連続して湾曲したスカラー部を有する生地を素材とし、前記外周縁の湾曲部は前記生地のスカラー部の湾曲によって形成されていることを特徴とした下着。
【請求項２】
前記部材は、ショートガードル又はショーツの後身頃であり、脚口となる前記後身頃の湾曲した下縁がスカラー部の湾曲によって形成されている請求項１に記載の下着。
【請求項３】
前記部材は、ブラジャーのカップ表面を覆う表布であり、該表布の湾曲した上縁がスカラー部の湾曲によって形成されている請求項１に記載の下着。
【請求項４】
前記部材は、ブラジャーのカップ及びベース部表面の内、少なくとも片側を覆う表布であり、該表布の湾曲した上縁及び／又は下縁がスカラー部の湾曲によって形成されている請求項１に記載の下着。
【請求項５】
前記部材は、ブラジャーのカップ、ベース部及び背部バンド表面の内、少なくとも片側を覆う表布であり、該表布の湾曲した上縁及び／又は下縁がスカラー部の湾曲によって形成されている請求項１に記載の下着。
【発明の詳細な説明】
【技術分野】
【０００１】
本発明は、ショートガードルやショーツの脚口、ブラジャーの上下縁のような外周縁に湾曲部を設けた下着に関する。
【背景技術】
【０００２】
一般的に、ショートガードル、ショーツ等の脚口や、ブラジャーのカップ上縁等は、身体形状に合わせて湾曲している。
下着の湾曲した外周縁を形成するには、生地を湾曲するよう裁断して端処理を施し、細いテープ状のレースを外周縁に沿って装着するか、あるいは、レース生地をそのスカラー縁が下着外周縁に一致するよう裁断して縫製していた。
しかし、生地を裁断した後に端処理を行うのは面倒であるばかりか、見栄えも良くない。また、端縁にほつれ止めの端処理を施した生地も知られているが、このような端縁は直線状であって下着の湾曲した外周縁に利用することはできない。
【０００３】
一方、レース生地で仕立てた下着は、テープ状のレースを取り付けた下着に比べて豪華であり、高級下着として好まれている。
ところが、通常のレース生地のスカラー縁は、山部と谷部を非常に狭い幅で繰り返して波形としてあり、また、山部と谷部の高さの差も小さいので、波形の形状をそのまま利用して、ヒップ被りの大きいショーツの脚口や、ブラジャーカップの円弧状の周縁を形成することはできなかった。
このようなレース生地のスカラー縁を利用して下着の外周縁をなだらかに湾曲させるには、多数の布を接ぎ合わせなければならず、パターンの数が多くなって裁断・縫製が面倒であり、縫い目が皮膚に当たって不快感を与える心配があった。
【０００４】
また、従来、面状レース素材のスカラー部によって端部を形成したカップを有するブラジャーが公知である（特許文献１参照）。
しかし、上記レース素材のスカラー部は波形のピッチが狭く、このレース素材を用いたブラジャーも、カップ上縁の直線部分をレース素材のスカラー部で形成しただけであって、波形を構成する山部と谷部の湾曲を利用して、円弧状に膨出したカップ上縁を形成したものではなかった。
【０００５】
【特許文献１】特許第３７０３４０８号公報
【発明の開示】
【発明が解決しようとする課題】
【０００６】
本発明が解決しようとする課題は、美しくて高級感があり、裁断や縫製が簡単で、縫い目が肌に当たりにくくて着用感が良好な下着を提供することにある。
【課題を解決するための手段】
【０００７】
本発明の下着は、外周縁に湾曲部を有する部材を備え、前記部材は、山部と谷部とが繰り返し連続して湾曲したスカラー部を有する生地を素材とし、前記外周縁の湾曲部は、前記生地のスカラー部の湾曲によって形成されている。
前記部材は、ショートガードル又はショーツの後身頃であり、脚口となる前記後身頃の湾曲した下縁がスカラー部の湾曲によって形成されている。
前記部材は、ブラジャーのカップ表面を覆う表布であり、該表布の湾曲した上縁がスカラー部の湾曲によって形成されている。
【０００８】
前記部材は、ブラジャーのカップ及びベース部表面の内、少なくとも片側を覆う表布であり、表布の湾曲した上縁及び／又は下縁がスカラー部の湾曲によって形成されている。
前記部材は、ブラジャーのカップ、ベース部及び背部バンド表面の内、少なくとも片側を覆う表布であり、該表布の湾曲した上縁及び／又は下縁がスカラー部の湾曲によって形成されている。
近年、レース生地のスカラー部の波形を、非常に広いリピート幅で繰り返し、且つ、波形の山部と谷部の差を大きくできる編機が開発されている（ドイツ、カール・マイヤー社製、ＴＬ３１／１／２４，ＴＬ６６／１／３６，ＪＬ９５／１等）。このような編機を用いると、下着外周縁の湾曲部に合わせて湾曲したスカラー部を有する生地を編むことができる。
また、編機ＴＬ６６／１／３６を用いると、ラッセル生地のスカラー部を大きく湾曲させることができる。
【発明の効果】
【０００９】
本発明によれば、下着外周縁の湾曲部を形成するために多数の生地片を接ぎあわせる必要が無いので、パターン数が少なくて済み、裁断や縫製に要する手間を省くことができ、縫い目がごろついて不快感を与えることもない。
【発明を実施するための最良の形態】
【００１０】
下着は、外周縁に湾曲部を有する部材を備える。この部材は、山部と谷部とが繰り返し連続して湾曲したスカラー部を有する生地を素材とする。部材外周縁の湾曲部は、生地のスカラー部の湾曲をそのまま利用して形成されている。
以下、本発明の実施例を図面に基づいて詳細に説明する。
【実施例１】
【００１１】
図１及び図２は、ショートガードルである実施例１を示す。図１は、ショートガードルの正面図、図２は、ショートガードルの素材となるレース生地上のパターン図である。
図１に示すように、ショートガードルは、レース生地を素材として一体に形成した前身頃１及び後身頃２と、前中央部に配置される腹部押さえ片１ａとを接合して成る。
また、前身頃１の下縁と後身頃２の下縁とで構成されるショートガードルの脚口３は、後身頃２側で下方に凸に湾曲しており、ヒップの被りを充分に深く取ってある。
【００１２】
図２に示すように、前身頃１及び後身頃２の素材となるレース生地Ａは、伸縮糸を経編みしたものであり、山部と谷部とを繰り返し連続した波形のスカラー部４が編み立て方向に沿って形成されている。
また、このレース生地Ａは、スカラー部４の谷部から山部へかけての湾曲が脚口３の湾曲部と一致するよう編成してある。
そして、脚口３となる前身頃１及び後身頃２の下縁がスカラー部４の湾曲で形成されるよう、破線で示す背部中心線Ｃ及び切断線Ｄに沿ってレース生地Ａを裁断することにより、片側の前身ごろ１及び後身頃２を１枚のレース生地片で形成することができる。なお、裁断後、モールド加工によってヒップの盛り上がり部分を膨隆させてもよい。
その後、左右の後身頃２を背部中心線Ｃで接ぎ、前身頃１の側縁に腹部押さえ片１ａの両側縁を縫い合わせてショートガードルとする。
なお、ラッセル生地の場合、後身頃２を背部中心線Ｃで２枚に分離せず、左右連続した１枚の部材として、裁断・縫製の手間を省くこともできる。
【実施例２】
【００１３】
図３及び図４は実施例２を示し、図３は、ショートガードルの背面図、図４は、レース生地上のパターン図である。
図３に示すように、後身頃２の上部２ａは弾性糸を使った伸縮布で形成し、後身頃２の下部２ｂをレース生地片で形成してある。
後身頃２の下部２ｂは、脇縫い側に向かって次第に幅広くなっており、脚口３を構成する下部２ｂの下縁は、下方に凸に湾曲している。
【００１４】
図４に示すように、後身頃２の下部２ｂの素材となるレース生地Ａは、下部２ｂの下縁の湾曲部に対応して湾曲したスカラー部４と、下部２ｂの上縁の湾曲部に対応して湾曲したスカラー部４’を有し、スカラー部４とスカラー部４’との距離は、下部２ｂの幅に相当するよう形成してある。
従って、レース生地Ａを破線で示す切断線Ｅに沿って所定長さに切断するだけで下部２ｂが形成され、これを上部２ａの下端に縫着することにより、脚口３となる下縁が湾曲した後身頃２が形成される。また、脚口３の前部において、継ぎ目をなくすことも可能である。
【実施例３】
【００１５】
図５及び図６は、ブラジャーである実施例３を示し、図５は、ブラジャーの斜視図、図６は、レース生地上のパターン図である。
ブラジャーは、図５に示すように、ベース部５と、ベース部５の上部左右に取り付けられた一対のカップ６と、ベース部５の両側に装着された背部バンド７とを備える。
カップ６は、その上縁が円弧状に湾曲し、レース生地素材の表布８で表面が被覆されている。表布８の裏面には図示しない裏布が重合され、裏布の裏面にパッドが装着されている。
【００１６】
図６に示すように、表布８の素材となるレース生地Ａのスカラー部４は、山部の湾曲が表布８の上縁の湾曲部と同じ形状で湾曲するよう編成されている。
そして、このレース生地Ａを、モールド加工によって椀形に膨隆させた後、スカラー部４の山部の湾曲がカップ６の上縁の湾曲部と一致するように破線で示す切断線Ｆに沿って裁断し、接ぎ合わせることなく１枚の表布８を形成する。
形成した表布８は、左右のカップ６の表面にそれぞれ装着する。
【実施例４】
【００１７】
図７及び図８は実施例４を示し、図７は、ブラジャーの斜視図、図８は、レース生地上のパターン図である。
図７に示すように、ブラジャーの左右片側において、カップ６とベース部５の表面をレース生地素材の表布８で被覆してある。
また、カップ６の上縁においてストラップ９よりも中央寄りの部分は上方へ凸に湾曲しており、ベース部５の下縁は下方へ凸に緩やかに湾曲している。
【００１８】
図８に示すように、表布８の素材となるレース生地Ａには、山部がカップ６の上縁中央寄りの湾曲部と同じ形状で湾曲したスカラー部４、及び、山部がベース部５の下縁の湾曲部と同じ形状で湾曲したスカラー部４’を、それぞれ編み立て方向に沿って形成してある。
このレース生地Ａを、カップ６の上縁中央寄りの湾曲部がスカラー部４の山部の湾曲で形成されると共に、ベース部５の下縁の湾曲部がスカラー部４’の山部の湾曲で形成されるよう、モールド加工によって椀形に膨隆させた後、スカラー部４’に沿った線で裁断し、さらに、破線で示す切断線Ｇに沿って裁断して、一方のヵップ６及びベース部５の片側を覆う表布８を形成する。
さらに、左右対称に形成した２枚の表布８をセンターで接ぎ合わせる。
なお、２枚の表布８の接合に要する手間を省くために、左右のカップ６及びベース部５の表面を１枚の表布８で被覆することもできる。
【実施例５】
【００１９】
図９及び図１０は実施例５を示し、図９は、ブラジャーの斜視図、図１０は、レース生地上のパターン図である。
図９に示すように、ブラジャーの左右片側において、ベース部５、カップ６及び背部バンド７を表布８で被覆してある。
ベース部５及び背部バンド７の下縁は直線状である。また、カップ６の上縁の中央寄りは上方へ凸に湾曲し、カップ６の上縁の脇寄りから背部バンド７の上縁にかけては、上方へ凹になだらかに湾曲している。
【００２０】
図１０に示すように、表布８の素材となるレース生地Ａは、山部の一方の辺がカップ６の上縁中央寄りの湾曲部と同形状に湾曲すると共に、他方の辺がカップ６の上縁脇寄りから背部バンド７の上縁にかけての湾曲部と同形状に湾曲したスカラー部４を有する。また、レース生地Ａの編み立て方向に沿って、ほつれ止め処理を施した側縁１０又はリピート幅が狭い通常のスカラー部４’が形成されている。また、この実施例では、背部バンド７の下縁部を折り返してテープを取り付けてもよい。
このレース生地Ａを、ブラジャー上縁の湾曲部がスカラー部４の山部の湾曲で形成され、ブラジャーの下縁が側縁１０又は通常のスカラー部で形成されるよう、モールド加工によってカップ６に相当する部分を椀形に膨隆させた後、通常のスカラー部４’に沿った線で裁断し、さらに、破線で示す切断線Ｈに沿って裁断して、表布８を形成する。
さらに、左右対称に形成した２枚の表布８をセンターで接ぎ合わせる。
【実施例６】
【００２１】
図１１及び図１２は実施例６を示し、図１１は、ブラジャーの斜視図、図１２は、レース生地上のパターン図である。
図１１に示すように、ブラジャー表面のほぼ全面を、レース生地素材の１枚の表布８で被覆してある。
ブラジャーの上下縁の形状は実施例５とほぼ同様である。
【００２２】
図１２に示すように、表布８の素材となるレース生地Ａは、カップ６の上縁に相当する２つの山部と、その両側に連なり、背部バンド７の上縁に相当する谷部とをリピート幅Ｌとして繰り返したスカラー部４を有する。
また、レース生地にはリピート幅Ｌが適宜変更可能なスカラー部４’が編み立て方向に沿って形成されている。
スカラー部４とスカラー部４’との距離はブラジャーの上下寸法に相当している。
このレース生地Ａの左右カップ６に相当する部分を、モールド加工で椀形に膨隆させた後、スカラー部４’に沿った線で裁断し、さらに、ブラジャーの長さにあわせて破線で示す切断線Ｉに沿って切断し、表布８を形成する。
【００２３】
なお、一方のカップの表面を覆う表布であって、カップの上縁中央寄りの湾曲部のみをスカラー部の湾曲で形成し、他の外周縁は切断端としても良い。また、カップ、ベース部及び背部バンドの表面を覆う表布の場合に、下縁及びカップの上縁中央寄りの湾曲部のみをスカラー部の湾曲で形成し、カップの上縁脇寄り及び背部バンドの上縁を切断端とすることもできる。
さらに、上記実施例では主にレース生地を用いた場合について説明したが、本願発明はこれに限定されるものではなく、ラッセル生地においても、スカラー部が大きく湾曲したものを用いることによって、同様の作用、効果を得ることができる。
【図面の簡単な説明】
【００２４】
【図１】実施例１を示すショートガードルの正面図。
【図２】実施例１に係るレース生地上のパターン図。
【図３】実施例２を示すショートガードルの背面図。
【図４】実施例２に係るレース生地上のパターン図。
【図５】実施例３を示すブラジャーの斜視図。
【図６】実施例３に係るレース生地上のパターン図。
【図７】実施例４を示すブラジャーの斜視図。
【図８】実施例４に係るレース生地上のパターン図。
【図９】実施例５を示すブラジャーの斜視図。
【図１０】実施例５に係るレース生地上のパターン図。
【図１１】実施例６を示すブラジャーの斜視図。
【図１２】実施例６に係るレース生地上のパターン図。
【符号の説明】
【００２５】
１  前身頃
１ａ  腹部押さえ片
２  後身頃
２ａ  上部
２ｂ  下部
３  脚口
４，４’  スカラー部
５  ベース部
６  カップ
７  背部バンド
８  表布
９  ストラップ
１０  側縁
Ａ  レース生地
【図１】
2008013867.tif 000003
【図２】
2008013867.tif 000004
【図３】
2008013867.tif 000005
【図４】
2008013867.tif 000006
【図５】
2008013867.tif 000007
【図６】
2008013867.tif 000008
【図７】
2008013867.tif 000009
【図８】
2008013867.tif 000010
【図９】
2008013867.tif 000011
【図１０】
2008013867.tif 000012
【図１１】
2008013867.tif 000013
【図１２】
2008013867.tif 000014